(57)【要約】【課題】  本発明は、一組の両面粘着テープの間にリングが形成された挿入片を挟んで接着し、両面粘着テープの一方の側面を携帯電話機などの表面に取付けることによって、装飾性に優れた接着式アクセサリーを提供する。   【解決手段】  本発明による接着式アクセサリー１００は、一方の側面が携帯電話機の外部に取り付け可能な第１両面粘着テープ１２０と、一方の側面が前記第１両面粘着テープ１２０の他方の側面に接着される挿入片１１０とを含み、且つ、挿入片１１０にはリング１１４が形成されている。さらに、一方の側面が前記挿入片１１０の他方の側面に接着される第２両面粘着テープ１３０と、前記第２両面粘着テープ１３０の他方の側面に取り付けられる一つ又は二つ以上のビーズ１４０を含む。【選択図】  図１
2006295859.tif 000002
【特許請求の範囲】
【請求項１】
一方の側面が携帯電話機の外部に取り付け可能である第１両面粘着テープと、一方の側面が前記第１両面粘着テープの他方の側面に接着される挿入片とを含み、且つ、該挿入片にはリングが形成されていることを特徴とする接着式アクセサリー。
【請求項２】
一方の側面が前記挿入片の他方の側面に接着される第２両面粘着テープと、前記第２両面粘着テープの他方の側面に取り付けられる一つ又は二つ以上のビーズとをさらに含む請求項１に記載の接着式アクセサリー。
【請求項３】
一端が前記リングに連結されるチェーンと、前記チェーンの他端に連結されるペンダントとをさらに含む請求項１または２に記載の接着式アクセサリー。
【請求項４】
前記挿入片は、金属製のプレートと、前記プレートに連続して形成されたリングとからなる請求項１ないし３のいずれかに記載の接着式アクセサリー。
【請求項５】
前記プレートは、布製である請求項１ないし３のいずれかに記載の接着式アクセサリー。
【請求項６】
前記挿入片は、部分的にリングが形成された針金である請求項１ないし３のいずれかに記載の接着式アクセサリー。
【請求項７】
前記挿入片は、部分的にリングが形成されている紐である請求項１ないし３のいずれかに記載の接着式アクセサリー。
【請求項８】
前記第１両面粘着テープが、鞄、被服、その他の小物などの外面に取り付け可能である請求項１ないし７のいずれかに記載の接着式アクセサリー。
【請求項９】
前記第１両面粘着テープが、身体に取り付け可能であることを特徴とする請求項１ないし８のいずれかに記載の接着式アクセサリー。
【発明の詳細な説明】
【技術分野】
【０００１】
本発明は接着式アクセサリーに関し、より詳細には、二つの両面粘着テープの間に挿入片を挿入したものを携帯電話機などの小物等に取り付けることができ、且つ、携帯電話機の反対側の両面粘着テープには複数のビーズ等を取り付けることによって、使用者の趣向性を満足させることができるようにした接着式アクセサリーに関する。
【背景技術】
【０００２】
近年、携帯電話機やその他の小物などのような様々な生活用品を、個人の趣向性や装飾性に合わせて飾ったり、変型したりする方法等が開示されているが、ここでは、携帯電話機のみを例にとって、携帯電話機を飾る方式を説明する。
【０００３】
かかる装飾方法等のほとんどが、携帯電話機本体の表面を様々な色彩や模様のステッカーによって飾ったり、携帯電話機のストラップが固定されるストラップ接続部に十字架などのようなペンダントが取付けられた個性ある装飾品を附属させたりすることで、個性を生かそうとするものである。
【０００４】
しかしながら、ステッカーによる装飾は、携帯電話機の表面にのみ装飾効果を奏することができるため、他の装飾を付け加えて取り付け得ない。また、携帯電話機に装着されていたストラップに代えて、好みのアクセサリーを取付けるという方法は、本来の携帯用ホルダとして用いられるストラップの用途には相応しくないため、携帯電話機を携行・携帯するに不便であった。
【発明の開示】
【発明が解決しようとする課題】
【０００５】
本発明は上述のような各課題に鑑みてなされたものであって、その目的は、一組の両面粘着テープの間にリングが形成された挿入片を挟んで接着し、両面粘着テープの一方の側面を携帯電話機などの表面に取付けることによって、装飾性に優れた接着式アクセサリーを提供することにある。
【０００６】
本発明の他の目的は、両面粘着テープの外側にビーズを取付けて、装飾効果をさらに向上させることができるように構成したアクセサリーを提供することにある。
【０００７】
さらに、挿入片に形成されたリングにチェーンの一端を連結し、且つ、チェーンの他端には十字架や宝石などのようなペンダントを連結し、携帯電話機などの装飾効果をさらに向上させ得るように構成したアクセサリーを提供することにある。
【０００８】
さらに、挿入片としては、プレートの他に、針金、紐、チェーンなどを用いることができ、原価コストの低減を図らせるアクセサリーを提供することにある。
【課題を解決するための手段】
【０００９】
上記目的を達成するために本発明は、一方の側面が携帯電話機の外部に取り付け可能な第１両面粘着テープと、一方の側面が前記第１両面粘着テープの他方の側面に接着される挿入片とを含み、且つ、挿入片の一側部にはリングが形成されている。
【００１０】
一方の側面が前記挿入片の他方の側面に接着される第２両面粘着テープと、前記第２両面粘着テープの他方の側面に取り付けられる一つ又は二つ以上のビーズをさらに含むものである。
【００１１】
一端が前記リングに連結されるチェーンと、前記チェーンの他端に連結されるペンダントをさらに含む。
【００１２】
前記挿入片は、金属製のプレートと、前記プレートに連続して形成されたリングとからなるものでもよい。
【００１３】
前記プレートは布製でもよい。
【００１４】
前記挿入片は、部分的にリングが形成されている針金とすることもできる。
【００１５】
また、前記挿入片は、部分的にリングが形成されている紐としてもよい。
【００１６】
さらに、前記第１両面粘着テープは、鞄、被服、その他の小物などの外面に取り付け可能であるようにしてもよい。
【００１７】
さらに、前記第１両面粘着テープは、身体に取り付け得るようにすることもできる。
【発明の効果】
【００１８】
このように本発明によれば、簡単な構造で装飾用アクセサリーを製作可能で、携帯電話機などの表面に取付けることができ、且つ、チェーンを連結することによって、十字架や宝石などを連結し得るという効果を奏する。
【発明を実施するための最良の形態】
【００１９】
以下、図面を参照しつつ、本発明の一つの実施の形態に係る接着式アクセサリーについて説明する。
【００２０】
図１は、本発明の一つの実施の形態に係るアクセサリーの構成要素を示す分解斜視図であり、図２は、アクセサリーの結合状態を示す断面図である。また、図３はアクセサリーが携帯電話機に取り付けられた状態を示す斜視図であり、図４ないし図６はアクセサリーが身体、被服または鞄にそれぞれ取付けられた状態を示す斜視図である。
【００２１】
以下、図１ないし図３を参照して、本実施の形態に係る携帯電話機用の接着式アクセサリー(以下、単にアクセサリーという。)について説明する。
【００２２】
アクセサリー１００は、挿入片１１０、第１及び第２両面粘着テープ１２０、１３０、及びビーズ１４０からなる。挿入片１１０は、プレート１１２と、プレート１１２の一端に連続して形成されたリング１１４とからなる。挿入片１１０は、薄い金属板、プラスチック板などから製造し得るが、携帯電話機２００の屈曲面に沿って接着できるように、なるべくフレキシブルに製作されていることが好ましい。
【００２３】
挿入片１１０の上下には、第１両面粘着テープ１２０及び第２両面粘着テープ１３０がそれぞれ接着される。第１両面粘着テープ１２０と第２両面粘着テープ１３０とが、プレート１１２の部分を覆うように接着することが好ましいが、チェーン１５０をリング１１４に連結するために、リング１１４の部分は外部へ突出させて構成する。
【００２４】
第１両面粘着テープ１２０の下部面は、携帯電話機２００の外部に取付けられ、且つ、第２両面粘着テープ１３０の上部面には一つ又は二つ以上のビーズ１４０が取り付けられる。図面に示されたような球形のビーズに代えて他の形態の飾り物を取り付けることが可能であることは言うまでもない。
【００２５】
図２に示すように、アクセサリー１００は、第１両面粘着テープ１２０、挿入片１１０、第２両面粘着テープ１３０、ビーズ１４０の順に構成され、且つ、挿入片１１０のリング１１４は外部に突出している。
【００２６】
このようなアクセサリー１００は、図３に示すように、携帯電話機２００の外部に取り付けられる。
【００２７】
図３に示されているように、アクセサリー１００のリング１１４にはチェーン１５０の一端が連結され、且つ、チェーンの他端には十字架や宝石などからなるペンダント１６０が結合されている。
【００２８】
図７ないし図９は、本発明の他の実施の携帯に係るアクセサリーにおける挿入片を示す分解斜視図である。プレート１１２とリング１１４とからなる挿入片１１０に代えて、図７に図示する針金１７０や図８に図示する紐１８０が使用でき、或いは、図９に図示する布地１９０などが使用され得る。前述したように、挿入片として針金１７０や紐１８０、或いは布地１９０を用いると、アクセサリーがさらにフレキシブルに取り付けられ得る。
【００２９】
以上のように、針金１７０や紐１８０、或いは布地１９０などからなる挿入片が第１両面粘着テープ１２０と、第２両面粘着テープ１３０との間に取り付けられ、リングが第１両面粘着テープ１２０と第２両面粘着テープ１３０の外部に突出しているように構成され、且つ、外部に現れたリングにチェーン１５０を連結することによって、ペンダント１６０が連結される。
【００３０】
以上、本発明の実施の形態に係るアクセサリーについて説明したが、本件発明の権利範囲は上記の実施の形態に限られるものではなく、且つ、当業者が容易に変形し得る範囲まで該権利が及ぶ。また、本発明では、挿入片を固定させるための粘着テープとして、両面粘着テープを用いたが、一般の粘着テープを使用することも可能であり、且つ、第１両面粘着テープの代りに、接着剤を使用することもできる。
【図面の簡単な説明】
【００３１】
【図１】本発明の一つの実施の形態に係るアクセサリーの構成要素を示した分解斜視図である。
【図２】図１のアクセサリーの結合状態を示した断面図である。
【図３】図１のアクセサリーが携帯電話機に取付けられた状態を示した斜視図である。
【図４】図１のアクセサリーが身体に取付けられた状態を示した斜視図である。
【図５】図１のアクセサリーが被服に取付けられた状態を示した斜視図である。
【図６】図１のアクセサリーが鞄に取付けられた状態を示した斜視図である。
【図７】針金からなる挿入片の構成を示した分解斜視図である。
【図８】紐からなる挿入片の構成を示した分解斜視図である。
【図９】布地からなる挿入片の構成を示した分解斜視図である。
【符号の説明】
【００３２】
１００  接着式アクセサリー
１１０  挿入片
１１２  プレート
１１４  リング
１２０  第１両面粘着テープ
１３０  第２両面粘着テープ
１４０  ビーズ
１５０  チェーン
１６０  ペンダント
１７０  針金
１８０  紐
１９０  布地
２００  携帯電話機
【図１】
2006295859.tif 000003
【図２】
2006295859.tif 000004
【図３】
2006295859.tif 000005
【図４】
2006295859.tif 000006
【図５】
2006295859.tif 000007
【図６】
2006295859.tif 000008
【図７】
2006295859.tif 000009
【図８】
2006295859.tif 000010
【図９】
2006295859.tif 000011